(57)【要約】【課題】アスベストの飛散を防止して、アスベスト含有廃棄物を破砕等の前処理をした後に溶融処理して無害化することのできるアスベスト含有廃棄物の溶融無害化処理装置を提供する。【解決手段】袋詰めされたアスベスト含有廃棄物を装置内に投入する投入手段と、投入された袋詰めアスベスト含有廃棄物を破砕する破砕手段と、破砕されたアスベスト含有廃棄物を溶融炉内に搬送する搬送手段と、搬送されたアスベスト含有廃棄物を溶融して無害化する溶融手段と、溶融により発生する排ガスを浄化処理して外部に排出する排気手段とから構成されるアスベスト含有廃棄物の溶融無害化処理装置であって、各手段が一連に接続されるとともに、投入手段、破砕手段及び搬送手段が設置される建屋内を負圧管理可能とする。【選択図】図１
2013176713.tif 000002
【特許請求の範囲】
【請求項１】
袋詰めされたアスベスト含有廃棄物を装置内に投入する投入手段と、投入された袋詰めアスベスト含有廃棄物を破砕する破砕手段と、破砕されたアスベスト含有廃棄物を溶融炉内に搬送する搬送手段と、搬送されたアスベスト含有廃棄物を溶融して無害化する溶融手段と、溶融により発生する排ガスを浄化処理して外部に排出する排気手段とから構成されるアスベスト含有廃棄物の溶融無害化処理装置であって、各手段が一連に接続されるとともに、投入手段、破砕手段及び搬送手段が設置される建屋内を負圧管理可能としたことを特徴とするアスベスト含有廃棄物の溶融無害化処理装置。
【請求項２】
前記投入手段は、内部に３段式のゲートが設けられており、各ゲートは直上のゲートの開閉に合わせて駆動し、各ゲート間は吸引装置により負圧管理可能としたことを特徴とする請求項１記載のアスベスト含有廃棄物の溶融無害化処理装置。
【請求項３】
前記搬送手段は、円筒状ケーシングからなる搬送通路内にスクリューコンベアを設けた構成とし、溶融炉側先端には顎部を設けたことを特徴とする請求項１又は２記載のアスベスト含有廃棄物の溶融無害化処理装置。
【請求項４】
前記溶融手段は、溶融炉の受入口側にバーナ１（主バーナ）と、出滓口側にバーナ２（副バーナ）を設けたことを特徴とする請求項１から３のうちいずれかに記載のアスベスト含有廃棄物の溶融無害化処理装置。
【請求項５】
アスベスト含有廃棄物の溶融無害化処理方法であって、袋詰めされたアスベスト含有廃棄物を装置内に投入する工程と、投入された袋詰めアスベスト含有廃棄物を破砕する工程と、破砕されたアスベスト含有廃棄物を溶融炉内に搬送する工程と、搬送されたアスベスト含有廃棄物を溶融して無害化する工程と、溶融により発生する排ガスを浄化処理して外部に排出する排気工程からなり、溶融までの一連の工程が負圧状態下でなされることを特徴とするアスベスト含有廃棄物の溶融無害化処理装置。
【発明の詳細な説明】
【技術分野】
【０００１】
本発明は、アスベスト含有廃棄物の溶融処理方法及びその処理装置に関するものであって、特に、アスベストの粉塵を飛散させることなく溶融処理することのできる溶融無害化処理装置及びその処理方法に関する。
【背景技術】
【０００２】
アスベスト（石綿）は、天然の繊維状鉱物であり、以前はビル等の建築物において、断熱材や保温材として多く使用されてきた。しかし、その繊維は極めて細く、飛散し易いため、これを吸入すると人体に影響を及ぼすことが指摘され、現在ではアスベスト材の生産は規制されるようになった。そこで、これまでに使用されてきた多量のアスベスト材について、その処分方法が問題となっている。
【０００３】
しかしながら、アスベスト材の処分については、飛散し易い等の理由から従来の破砕処理や溶融処理方法では処分できず、耐水性の袋により二重に梱包して埋め立て処分がなされているのが現状である。
【０００４】
また最近では、袋詰めにしたアスベスト材をそのまま溶融処理することも提案されているが、破砕などの前処理をしないでそのまま溶融処理を行うために、溶融に時間がかかり、または保温材などの固形の廃石綿は十分溶融無害化されずに炉から排出されるなど、処理効率の面で問題があった。
【０００５】
アスベストは、１５００℃以上の高温で溶融することにより、針状の結晶が無くなり無害化することができる。しかし、溶融により無害化するためには、その処理過程においてアスベストの大気中への飛散を完全に防止しなければならず、その点をどのようにするかが問題である。
【先行技術文献】
【特許文献】
【０００６】
【特許文献１】特開１０−３３７５４７号公報
【発明の概要】
【発明が解決しようとする課題】
【０００７】
本発明は、上記問題点に鑑みてなされたものであり、アスベストの飛散防止を図った上で、前処理として破砕処理を行い、効率的な溶融無害化処理を可能とするアスベスト含有廃棄物の溶融無害化処理装置及びその処理方法を提供しようとするものである。
【課題を解決するための手段】
【０００８】
上記課題を解決するため、本発明のアスベスト含有廃棄物の溶融無害化処理装置は、袋詰めされたアスベスト含有廃棄物を装置内に投入する投入手段と、投入された袋詰めアスベスト含有廃棄物を破砕する破砕手段と、破砕されたアスベスト含有廃棄物を溶融炉内に搬送する搬送手段と、搬送されたアスベスト含有廃棄物を溶融して無害化する溶融手段と、溶融により発生する排ガスを浄化処理して外部に排出する排気手段とから構成されるアスベスト含有廃棄物の溶融無害化処理装置であって、各手段が一連に接続されるとともに、投入手段、破砕手段及び搬送手段が設置される建屋内を負圧管理可能としたことを特徴とする。
【０００９】
本発明に係る前記投入手段は、内部に３段式のゲートが設けられており、各ゲートは直上のゲートの開閉に合わせて駆動し、各ゲート間は吸引装置により負圧管理可能としたことを特徴とする。
【００１０】
また、本発明における搬送手段は、円筒状ケーシングからなる搬送通路内にスクリューコンベアを設けた構成とし、溶融炉側先端には顎部を設けたことを特徴とする。
【００１１】
さらに、本発明における溶融手段は、溶融炉の受入口側にバーナ１（主バーナ）と、出滓口側にバーナ２（副バーナ）をそれぞれ設けたことを特徴とする。
【発明の効果】
【００１２】
本発明によれば、投入手段、破砕手段、搬送手段が一の設備内に設けられているため、設備内が負圧状態のもとでアスベスト含有廃棄物の投入、破砕、搬送を一連に行うことができ、かつ各装置内も負圧状態で運転を行うため、十分にアスベストの飛散を防止しながらアスベスト含有廃棄物の溶融無害化処理を行うことが可能である。
【００１３】
また、投入手段において投入口に３段式のゲートが設けられ、これらが連動して開閉するとともに、各ゲート間は吸引装置により負圧状態となるため、各ゲートの開放時にアスベスト粉塵の飛散を防止することができ、その結果、投入室と投入手段双方の負圧管理が可能となる。
【００１４】
また、溶融炉への搬送手段として円筒の搬送通路内にスクリューコンベアを用いることで、アスベストの飛散を防止するとともに、破砕されたアスベスト含有廃棄物と流動化調整材を撹拌しつつ、定量連続的に溶融炉に投入することができるため、溶融炉の能力を最大限利用することができ、安定した出滓が可能となる。
【００１５】
さらに、本発明による溶融炉は、その受入口と出滓口にそれぞれ燃焼バーナが設けられているため、従来よりも消費重油を軽減することができ、また、酸素バーナ等の付属設備も不要でランニングコストを低減することが可能となる。
【図面の簡単な説明】
【００１６】
【図１】本発明のアスベスト含有廃棄物の溶融処理装置の一実施形態を示す概略図である。
【発明を実施するための形態】
【００１７】
以下、本発明について一実施形態に基づき図面を参照して詳細に説明する。図１は本発明のアスベスト含有廃棄物の溶融処理装置の一実施形態を示す概略図である。本発明に係るアスベスト含有廃棄物の溶融処理装置は、投入手段、破砕手段、搬送手段、溶融手段、排気手段が一連に接続されて構成される。
【００１８】
.
本発明に係る投入手段は、処理対象物である袋詰めにされたアスベスト含有廃棄物１０を受け入れて、破砕手段である破砕機３に供給するものであって、ケーシング上部に投入口１を有し、その下部には開閉ゲート２ａ〜２ｃが３段式に設けられている。各ゲートはそれぞれ連動しており、詳しくは、まず一番上側のゲート２ａが開いている時は下側のゲート２ｂと２ｃは閉まっており、ゲート２ａが閉まってから次のゲート２ｂが開くようになる。同様にゲート２ｃはゲート２ｂが閉まってから開くことになる。また、当該投入手段は、内部に吸引装置を有し、各ゲート間を吸引することで内部を負圧状態とし、ゲート解放時に投入口１からのアスベスト粉塵の飛散を防止する。
【００１９】
また、投入口が設置される室内には室内用の除塵ダクトが設けられ、これにより室内が負圧状態となり、投入口からのアスベストの飛散を防止することができるため、作業者は安全に作業することができる。
【００２０】
本発明に係る破砕手段は、前記開閉ゲート２ａ〜２ｃを介して投入された袋詰めアスベスト含有廃棄物１０を破砕するものであって、ケーシング内に破砕機３を設置して構成される。前記投入手段から投入された袋詰めアスベスト含有廃棄物１０は、破砕機３によって破砕された後、後述する切出しスクリューコンベア４ａに落下する。尚、破砕機３は、袋詰めのまま破砕することから、ビニール製の袋の軸への巻き付き防止等を考慮し、４軸の破砕機とするのが好ましい。
【００２１】
本発明に係る搬送手段は、前記破砕機３により破砕されたアスベスト含有廃棄物を溶融炉６に搬送するものであって、切出しスクリュウーコンベア４ａ、位相スクリューコンベア４ｂ、投入スクリューコンベア４ｃが接続されて構成されており、各スクリューコンベアは、円筒状ケーシング内にスクリューコンベアを有している。また、少なくとも投入スクリューコンベア４ｃは、ピッチが狭いものとし、その先端には顎部（テーブル）が設けられている。これにより、破砕されたアスベスト含有廃棄物が前記顎部で盛り上がることで、後続するアスベスト含有廃棄物に対して抵抗要素となって投入スクリューコンベア４ｃの内部壁近傍の隙間を塞ぐため、溶融時においての物封を得ることができる。
【００２２】
尚、投入スクリューコンベア４ｃには流動化調整剤ホッパ５が付設されており、該流動化調整剤ホッパ５から流動化調整剤（例えば山砂や粘土等）が搬送中の破砕されたアスベスト含有廃棄物に添加され、投入スクリューコンベア４ｃにより撹拌混合されて溶融炉に投入されるため、効率的な溶融が行われ、より安定した出滓が可能となる。また、前記スクリューコンベアについては、円筒状ケーシング及びスクリューコンベアの軸内を水冷する構成としており、これにより機械精度及び機械寿命が確保される。
【００２３】
本発明においては、投入手段、破砕手段及び搬出手段は一の建屋内に設置されていることが好ましく、建屋内に除塵装置を設けて負圧状態にするとともに、各装置内を負圧管理することとでアスベスト粉塵の飛散を防止することができる。
【００２４】
本発明に係る溶融手段は、投入スクリューコンベア４ｃから投入される破砕されたアスベスト含有廃棄物と流動化調整剤の混合物を溶融処理して無害化する溶融炉６であって、該溶融炉６は、複数の燃焼バーナを備え、上部には溶融対象物の投入口を有し、下部には溶融により無害化された生成物を排出する出滓口１１を有している。溶融炉６に投入されたアスベスト含有廃棄物は、各燃焼バーナにより高温加熱され、溶融無害化されて溶融スラグとなり、出滓口１１から排出される。
【００２５】
特に燃焼バーナは、溶融炉の受入口側にバーナ１（主バーナ）と、出滓口側にバーナ２（副バーナ）を有していることが好ましい。これにより、消費燃料の軽減を図ることができ、さらに溶融のための酸素バーナ等の付属設備も不要となり経済的である。尚、本件発明においては、燃焼バーナとして重油バーナを使用している。
【００２６】
排気手段は、溶融炉からの排ガスを無害者処理して大気に放出するものであり、溶融炉６に空気予熱器１２、排ガス冷却塔１３、サイクロン１４、バグフィルタ１５、誘引ファン１６、煙突１７が順次接続されて構成される。
【００２７】
溶融炉６から排出された排気ガスは、空気予熱器１２を経て排ガス冷却塔１３に送られる。排気ガスは、排ガス冷却塔１３において冷却された後、サイクロン１４を経てバグフィルタ１５に送られて、ここで除塵が行われる。その後除塵された排ガスは、誘引ファン１６によりフィルターを介して煙突１７から大気に放出される。
【００２８】
以上のとおり、本発明のアスベスト含有廃棄物の溶融無害化処理装置及びその処理方法によれば、基材が無機系のアスベスト含有廃棄物であれば、ほぼすべての既往製品の溶融無害化処理が可能である。また、可燃物が含まれる場合であっても、焼却炉で処理したアスベストを含む灰を溶融することで無害化を図ることが可能である。
【符号の説明】
【００２９】
１    投入口
２    開閉ゲート
３    破砕機
４    スクリューコンベア
５    流動化調整剤ホッパ
６    溶融炉
７    投入設備棟
１０    アスベスト含有廃棄物
１１    出滓口
１８    除塵装置
【図１】
2013176713.tif 000003